(57)【要約】      （修正有）【課題】特に高齢者が１月分の情報を１頁に自由に書き込むことができる月めくり記録ノートを提供する。【解決手段】山折りと谷折りを繰り返して折り重ねられた用紙からなり、表面に１月から６月までの書込み部６を有し、裏面に７月から１２月までの書込み部６を有する用紙本体と、用紙本体の表面の１月の書込み部６に連続して設けられ、用紙本体に折り重ねられた表表紙３と、用紙本体の表面の６月の書込み部６に連続して設けられ、用紙本体に折り重ねられた裏表紙４とを備える。各書込み部６の最上部に１月〜１２月の月が順に印刷された表題欄７が設けられ、最下部にメモ欄８が設けられ、中間部に、１０ｍｍ〜２０ｍｍの間隔の多数の横の罫線９ａと１の縦の罫線９ｂとが印刷されて、縦の罫線の左側に項目欄１０、縦の罫線の右側に摘要欄１１が設けられている。【選択図】図４
0003210051.tif 000002
【実用新案登録請求の範囲】
【請求項１】
山折りと谷折りを繰り返して折り重ねられた用紙からなり、表面に１月から６月までの書込み部を有し、裏面に７月から１２月までの書込み部を有する用紙本体と、
前記用紙本体の表面の１月の書込み部に連続して設けられ、前記用紙本体に折り重ねられた表表紙と、
前記用紙本体の表面の６月の書込み部に連続して設けられ、前記用紙本体に折り重ねられた裏表紙とを備え、
前記各書込み部の最上部に１月〜１２月の月が順に印刷された表題欄が設けられ、最下部にメモ欄が設けられ、中間部に、１０ｍｍ〜２０ｍｍの間隔の多数の横の罫線と１の縦の罫線とが印刷されて、前記縦の罫線の左側に項目欄、前記縦の罫線の右側に摘要欄が設けられていることを特徴とする月めくり記録ノート。
【請求項２】
前記表表紙は、２つ折りされた用紙の両端部に、前記用紙本体の表面の１月の書込み部に連続して設けられた糊代部を挟み込んで接着され、
前記裏表紙は、２つ折りされた用紙の両端部に、前記用紙本体の表面の６月の書込み部に連続して設けられた糊代部を挟み込んで接着されていることを特徴とする請求項１に記載の月めくり記録ノート。
【請求項３】
前記メモ欄に当月のカレンダー欄が設けられていることを特徴とする請求項１又は２に記載の月めくり記録ノート。  
【考案の詳細な説明】
【技術分野】
【０００１】
本考案は、家計の収支、冠婚葬祭、お祝い、記念日、予定日、通院、旅行、各種行事等の１月分の情報を１頁に自由に書き込むことができる特に高齢者用が使用するのに適した月めくり記録ノートに関する。
【背景技術】
【０００２】
日常生活においては、予定日、行事等はカレンダーに書き留め、家計の収入・支出は家計簿に記入し、法事等の費用は手帳やメモ帳に書き留める等、様々な情報をその内容に応じて様々なノートや用紙に書き留めることが行われている。
【０００３】
家計簿や、手帳、メモ帳等のノートは、紙が薄く、高齢者にとってはページをめくりにくいうえ、罫線の間隔が狭くて書きにくいという問題がある。また、欄が多く、記入項目が決められているために、書き方にとらわれ、書きにくいという問題がある。さらに、従来のノートはページ数が多く、厚いものが多いため、過去に書き留めたものを探しにくいという問題がある。さらに、情報によって書き留めるノートが異なるので、どのノートに書き留めたか分からなくなったり、ノートが行方不明になる等の問題があった。
【０００４】
従来、山折りと谷折りを繰り返すことによって蛇腹状に折り畳まれたノートとして、特許文献１には、記録紙の表面に歴欄、裏面にメモ欄を設けた記録帳が提案され、特許文献２には、日毎の予定記入欄を設けた予定記入帳が提案され、特許文献３には、月間カレンダー欄や週間カレンダー欄、メモ欄、グラフ欄を含む表示欄が設けられたスケジュール帳が提案されている。いずれも、記載欄に成約が多く、高齢者には使いにくい。
【０００５】
特許文献４には表紙を着磁した蛇腹式折り畳み手帳、特許文献５には月別に色分けした表示部を設けた折りたたみ帳、特許文献６には表裏面の表紙を着磁した手帳が記載されているが、単なる白紙のノートに過ぎない。
【０００６】
特許文献７−１６には、住所録、朱印帳、御朱印帳、過去帳、納経帳、芳名帳、旅行用簡易手帳、自分史記録帳、セキュリティ性の高い記録帳、折札帳等の蛇腹状のノートが提案されているが、いずれも特定の用途に使用するもので、日常生活の様々な情報を書き留めるものではない。
【先行技術文献】
【特許文献】
【０００７】
【特許文献１】実用新案登録第３１８２２５４号
【特許文献２】特開２０１０−４６９４２号公報
【特許文献３】特開２００９−３９９６９号公報
【特許文献４】実公平６−６９３８号公報
【特許文献５】実開平５−５６４６３号公報
【特許文献６】実用新案登録第３０８２３８２号
【特許文献７】実開平７−７９５５号公報
【特許文献８】実用新案登録第３２０５７９１号
【特許文献９】実用新案登録第３２０３６２２号
【特許文献１０】実用新案登録第３１３５９８４号
【特許文献１１】実用新案登録第３１０７２９９号
【特許文献１２】実用新案登録第３０８２３２６号
【特許文献１３】実用新案登録第３０１６５７５号
【特許文献１４】実用新案登録第３０１６０９９号
【特許文献１５】特開２０１６−１６６３６号公報
【特許文献１６】特開２００９−１０１６７５号公報
【考案の概要】
【考案が解決しようとする課題】
【０００８】
本考案は、斯かる従来の問題点に鑑みてなされたもので、特に高齢者が１月分の情報を１頁に自由に書き込むことができる月めくり記録ノートを提供することを課題とする。
【課題を解決するための手段】
【０００９】
前記課題を解決するための手段として、本考案は、
山折りと谷折りを繰り返して折り重ねられた用紙からなり、表面に１月から６月までの書込み部を有し、裏面に７月から１２月までの書込み部を有する用紙本体と、
前記用紙本体の表面の１月の書込み部に連続して設けられ、前記用紙本体に折り重ねられた表表紙と、
前記用紙本体の表面の６月の書込み部に連続して設けられ、前記用紙本体に折り重ねられた裏表紙とを備え、
前記各書込み部の最上部に１月〜１２月の月が順に印刷された表題欄が設けられ、最下部にメモ欄が設けられ、中間部に、１０ｍｍ〜２０ｍｍの間隔の多数の横の罫線と１の縦の罫線とが印刷されて、前記縦の罫線の左側に項目欄、前記縦の罫線の右側に摘要欄が設けられているものである。
【００１０】
前記表表紙は、２つ折りされた用紙の両端部に、前記用紙本体の表面の１月の書込み部に連続して設けられた糊代部を挟み込んで接着され、
前記裏表紙は、２つ折りされた用紙の両端部に、前記用紙本体の表面の６月の書込み部に連続して設けられた糊代部を挟み込んで接着されていることが好ましい。
【００１１】
前記メモ欄に当月のカレンダー欄が設けられていることが好ましい。
【００１２】
前記表表紙に１月から６月までのカレンダー欄が設けられ、前記裏表紙に７月から１２月までのカレンダー欄が設けられていることが好ましい。
【考案の効果】
【００１３】
本考案によれば、用紙本体の用紙が折り重ねられ、折部に指をかけることができるので、ページをめくりやすい。また、書込み部の横の罫線が１０ｍｍ〜２０ｍｍの間隔であるので、書きやすい。さらに、書込み部には、書き留める情報の内容に応じて、項目欄、適用欄、メモ欄のいずれかを選択して書き留めることができるので、書き方にとらわれず、書きやすい。このため、高齢者であっても、１月分の情報を１頁に自由に書き込むことができる。
本考案の月めくり記録ノートは、１月から１２月までの１２ページの書込み部しかないので、過去に書き留めたものを探し安い。
また、本考案の月めくり記録ノートは、使用者が書込み部の欄を自由に選択して、日常生活に関連する様々な情報を１年で１冊のノートに書き留めることができるので、複数のノートを使い分ける必要もなく、本考案のノートを取り出すだけで書き留めた内容を探すことができる。
【図面の簡単な説明】
【００１４】
【図１】本考案の実施形態に係る月めくり記録ノートの表表紙を上にした斜視図（ａ）、裏表紙を上にした斜視図（ｂ）。
【図２】図１の月めくり記録ノートの表面の展開図（ａ）、裏面の展開図（ｂ）。
【図３】図１の月めくり記録ノートの書込み部を示す平面図。
【図４】図１の月めくり記録ノートの使用状況を順に示す斜視図。
【図５】図１の月めくり記録ノートの第１変形例（ａ）、第２変形例（ｂ）、第２変形例の表表紙の裏面（ｃ）を示す部分斜視図。
【図６】図１の月めくり記録ノートの第３変形例を示す部分斜視図。
【図７】図６の月めくり記録ノートの書込み部を示す平面図。
【考案を実施するための形態】
【００１５】
以下、本考案の実施形態を添付図面に従って説明する。
【００１６】
図１は、本考案の実施形態である月めくり記録ノート（以下、単に「ノート」という。）１を示す。ノート１は、折り重ねられた用紙本体２と、表表紙３と、裏表紙４とを備えている。
【００１７】
用紙本体１は、図２に示すように、縦３０ｃｍ、横９０ｃｍの細長い用紙からなり、１５ｃｍ間隔で山折部５ａと谷折部５ｂを交互に設け、山折りと谷折りを繰り返すことで折り重ねられて、縦３０ｃｍ、横１５ｃｍのサイズを有している。用紙本体２は、表面に１月から６月までの６ページの書込み部６を有し、裏面に７月から１２月までの６ページの書込み部６を有している。用紙本体２の厚さは、好ましくは四六判９０〜１３５キロ（１０４．７〜１５７メートル坪量（g/m2））、より好ましくは、週刊誌表紙等に使用される四六判１１０キロ（１２７．９メートル坪量（g/m2））である。用紙本体２の紙質は、上質紙、コート紙、和紙が好ましい。
【００１８】
図３に示すように、各ページの書込み部６の最上部には、年と月が印刷された表題欄７が設けられ、最下部には、メモ欄８が設けられている。書込み部６の中間部には、１０ｍｍ〜２０ｍｍ、好ましくは１５ｍｍの間隔の多数の横の罫線９ａと１つの縦の罫線９ｂとが印刷されて、縦の罫線９ｂの左側に項目欄１０、縦の罫線の右側に摘要欄１１が設けられている。
【００１９】
図２に戻ると、表表紙３は、裏面が用紙本体２の表面の１月の書込み部６に連続し、表面が用紙本体２の裏面の１２月の書込み部６と連続するように、用紙本体２に折り重ねられている。表表紙３は、折り重ねられた用紙本体２と同じ、縦３０ｃｍ、横１５ｃｍのサイズを有している。表表紙３の厚さは、四六判９０〜１３５キロ（１０４．７〜１５７メートル坪量（g/m2））であり、用紙本体２の厚さと同じか、用紙本体２の厚さより厚いことが好ましい。表表紙３の表面には、「○○ノート」、「２０１７年１−６月」等を印刷するタイトル欄１２と、使用者の氏名等を書き込む名前欄１３が設けられている。表表紙３の裏面には、カード、領収書、保険証等を入れるポケット１４が設けられている。
【００２０】
裏表紙４は、裏面が用紙本体２の表面の６月の書込み部６に連続し、表面が用紙本体２の裏面の７月の書込み部６と連続するように、用紙本体２に折り重ねられている。裏表紙４は、表表紙３と同じ大きさで、折り重ねられた用紙本体２と同じ、縦３０ｃｍ、横１５ｃｍのサイズを有している。裏表紙４の厚さは、表表紙３と同じ厚さで、四六判９０〜１３５キロ（１０４．７〜１５７メートル坪量（g/m2））であり、用紙本体２の厚さと同じか、用紙本体２の厚さより厚いことが好ましい。裏表紙４の表面には、「○○ノート」、「２０１７年７−１２月」等を印刷するタイトル欄１２と、使用者の氏名等を書き込む名前欄１４が設けられている。
【００２１】
表表紙３及び裏表紙４の表面の全面又は一部に、絵画、写真、図柄等を印刷することができる。用紙本体２の表題欄７は、白紙にしておき、使用者が「年」と「月」を書き込めるようにしてもよい。
【００２２】
用紙本体２、表表紙３及び裏表紙４は、連続する１枚の紙で形成して折り重ねるようにしてもよいし、表表紙３と裏表紙４を用紙本体２と別の用紙で形成して、用紙本体２に接着するようにしてもよい。表表紙３と裏表紙４を用紙本体２と別の用紙で形成する場合、表表紙３と裏表紙４はコート紙、マット紙が好ましい。
【００２３】
本考案のノート１を使用する場合、書き込みたい月がタイトル欄１２に含まれる表表紙３又は裏表紙４を上にして、表題欄７に該当する月が記載されたページを開く。例えば、１月のページを開くには、図４（ａ）に示すように、タイトル欄１２に「２０１７年１−６月」と記載された表表紙３を上にして、表表紙３の右端に指を掛けて左側に開けば、図４（ｂ）に示すように、１月のページが右側に現れるので、この１月のページの書込み部６に書き込むことができる。また、２月又は３月であれば、１月のページの右端の山折部５ａに指を掛けて左側に開けば、図４（ｃ）に示すように、２月と３月のページが現れる。同様に、６月であれば、３月のページと次の５月のページを開けば、図４（ｄ）に示すように、６月のページが左側に現れる。８月の場合には、図４（ｅ）に示すように、タイトル欄１２に「２０１７年７−１２月」と記載された裏表紙４を上にして、裏表紙４の右端に指を掛けて左側に開けば、図４（ｆ）に示すように、８月のページが右側に現れる。このようにして、１−６月、７−１２月のいずれのページも簡単に開くことができる。各ページの右端は山折部５ａになっているので、この山折部５ａに指を掛けることで、指が滑りやすくなった高齢者でも、容易にページをめくることができる。
【００２４】
各ページの書込み部６は、図３に示すように、項目欄１０、摘要欄１１、メモ欄８が設けられているが、家計の収支、冠婚葬祭、お祝い、記念日、予定日、通院、旅行、各種行事等、書き留める内容によって、任意に使い分けることができる。たとえば、項目が明確なものは、項目欄１０に「孫へのお年玉」、摘要欄１１に「１月２日、○○円」等と記載すればよい。メモ欄８には、お中元やお歳暮の品等を書き留めればよい。書込み部６の横の罫線９ａは、一般のノートの罫線の間隔より広く、１０ｍｍ〜２０ｍｍの間隔であるので、書きやすい。また、書き留める情報の内容に応じて、項目欄１０、適用欄１１、メモ欄８のいずれかを自由に選択することができるので、書き方にとらわれることはない。このため、高齢者であっても、１月分の情報を１頁に自由に書き込むことができる。
【００２５】
ノート１は、書込み部６が１月から１２月までの１２ページしかないので、過去に書き留めたものを探し安い。例えば、お歳暮の品を決める場合に、本年の７月のページや、１年前のノートの１２月のページに書き留めてあるお歳暮の品等を参考にすることができる。また、ノート１は、日常生活に関連する様々な情報を１か月で１ページ、１年で１冊に書き留めることができる。複数のノートを使い分ける必要もなく、このノートを手元においていつでも取り出せるようにしておけば、過去に書き留めた内容を容易に探すことができる。
【００２６】
図５（ａ）は、図１のノート１の第１変形例を示す。このノート１は、表表紙３と裏表紙４を用紙本体２と別の用紙で形成したものである。用紙本体２には、表面の１月の書込み部６に連続して糊代部１５が設けられ、６月の書込み部６に連続して糊代部１５が設けられている。表表紙３は、用紙本体２の１月の書込み部６の糊代部１５に接着され、１月の書込み部６に折り重ねられている。同様に、裏表紙４は、用紙本体２の６月の書込み部６の糊代部１５に接着され、６月の書込み部６に折り重ねられている。糊代部１５は、表表紙３と裏表紙４の表面に現れているが、裏面に現れるようにすることもできる。
【００２７】
図５（ｂ）は、図１のノート１の第２変形例を示す。このノート１は、表表紙３と裏表紙４を用紙本体２と別の用紙で形成したものである。用紙本体２には、表面の１月の書込み部６に連続して糊代部１５が設けられ、６月の書込み部６に連続して糊代部１５が設けられている。表表紙３は、用紙を２つ折りしたもので、両端部に用紙本体２の１月の書込み部６の糊代部１５を挟み込んで接着され、１月の書込み部６に折り重ねられている。同様に、裏表紙４は、用紙を２つ折りしたもので、両端部に用紙本体２の６月の書込み部６の糊代部１５を挟み込んで接着され、６月の書込み部６に折り重ねられている。
【００２８】
表表紙３又は裏表紙４の裏面に、図５（ｃ）に示すように、横方向にスリット３ｂを設けるとともに下縁を糊付けすることで、ポケット１４を形成してもよい。この場合、表表紙３又は裏表紙４の上縁部は糊付けせずに開口できるようにしておけば、この上縁から大きなものを出し入れすることができる。また、少なくとも２つの斜めの切込み３ｃを設けて、名刺や写真を挟み留めるようにしてもよい。
【００２９】
表表紙３及び裏表紙４は、２つ折りになっているので、厚みがあり、損傷しにくい。また、折部３ａ、４ａに指を掛けることで、指が滑りやすくなった高齢者でも、容易に表紙を開くことができる。
【００３０】
図６、図７は、図１のノート１の第３変形例を示す。このノート１は、表紙本体２の各書込み部６のメモ欄８に当月のカレンダー欄１６を印刷して設けたものである。
【００３１】
このノート１では、メモ欄８にカレンダーが印刷されているので、別のカレンダーを見なくても、月日や、七曜、祝日、六曜を確認することができる。表表紙３の裏面に１月から６月までのカレンダー欄を設け、裏表紙４の裏面に７月から１２月までのカレンダー欄を設けることもできる。
【００３２】
本考案は、以上の実施形態に限らず、実用新案登録請求の範囲に記載した考案の範囲内で種々変更することができる。例えば、ノート１の縦横の寸法は、３０ｃｍ×１５ｃｍに限らず、種々の大きさにすることができる。
【符号の説明】
【００３３】
１…月めくり記録ノート
２…用紙本体
３…表表紙
４…裏表紙
５ａ…山折部
５ｂ…谷折部
６…書込み部
７…表題欄
８…メモ欄
９ａ…横の罫線
９ｂ…縦の罫線
１０…項目欄
１１…摘要欄
１２…タイトル欄
１３…名前欄
１４…ポケット
１５…糊代部
１６…カレンダー欄
３ａ…折部
３ｂ…スリット
３ｃ…切込み
４ａ…折部
【図１】
0003210051.tif 000003
【図２】
0003210051.tif 000004
【図３】
0003210051.tif 000005
【図４】
0003210051.tif 000006
【図５】
0003210051.tif 000007
【図６】
0003210051.tif 000008
【図７】
0003210051.tif 000009